(57)【要約】【課題】  複数台の換気装置を設置した建物において、ある換気装置の排気運転を停止することで排気と給気の風量バランスが崩れて給気量＞排気量になると、建物内の空気が正圧状態となる。しかし、通常、居住者は建物内の空気の圧力状態を認識することができないため、正圧状態になっても放置されやすく、それが継続すると建物内の水分を含んだ空気あるいは水分が建物の躯体内に侵入していき、やがて壁内結露の発生や躯体の腐食にまで至ることがあり、建物の保全上望ましくないという課題があった。【解決手段】  本発明の換気システムは、建物に設置され、屋外空気を屋内に給気もしくは屋内空気を屋外に排気する複数台の換気装置と、それらの複数台の換気装置の運転情報を取り込む情報取得手段とその運転情報に基づいて建物内の空気の圧力状態を判定する判定手段とを有する端末装置とにより構成したことを特徴とする。【選択図】        図１
2017156030.tif 000002
【特許請求の範囲】
【請求項１】
建物に設置され、屋外の空気を屋内に給気もしくは屋内の空気を屋外に排気する複数台の換気装置と、
前記複数台の換気装置の運転情報を取り込む情報取得手段と、前記運転情報に基づいて前記建物内の空気の圧力状態を判定する判定手段とを有する端末装置と
を備えることを特徴とする換気システム。
【請求項２】
前記端末装置はさらに、メッセージ表示を行う表示手段を有し、
前記端末装置は、前記判定手段が前記建物内の空気の圧力状態が正圧であると判定した場合に、前記表示手段が前記判定に基づくメッセージ表示を行う
ことを特徴とする請求項１に記載の換気システム。
【請求項３】
前記端末装置はさらに、前記複数台の換気装置への運転切替要求を取り込む操作入力手段と、前記複数台の換気装置への運転切替指令を出力する指令出力手段を有し、
前記端末装置は、前記操作入力手段に対し前記複数台の換気装置の少なくとも１台への排気運転停止の運転切替要求がなされ、前記判定手段が前記排気運転停止の実行によって前記建物内の空気の圧力状態が正圧になると判定した場合に、前記表示手段が警告メッセージを表示する
ことを特徴とする請求項２に記載の換気システム。
【請求項４】
前記端末装置はさらに、前記複数台の換気装置への運転切替要求を取り込む操作入力手段と、前記複数台の換気装置への運転切替指令を出力する指令出力手段を有し、
前記端末装置は、前記操作入力手段に対し前記複数台の換気装置の少なくとも１台への排気運転停止の運転切替要求がなされ、前記判定手段が前記排気運転停止の実行によって前記建物内の空気の圧力状態が正圧になると判定した場合に、前記指令出力手段が前記排気運転停止の指令を送出しない
ことを特徴とする請求項１〜３のいずれか一項に記載の換気システム。
【請求項５】
前記複数台の換気装置のうち、少なくとも１台は給気と排気とを同時にあるいは個別に行ない、前記給気と前記排気の間での熱交換機能を有する熱交換換気装置であり、また少なくとも他の１台は屋内の空気を排気する排気用換気装置であって、
前記端末装置は、前記操作入力手段に対し、前記熱交換換気装置が給気のみの運転を実施している時に前記排気用換気装置への排気運転停止の運転切替要求がなされた場合、あるいは前記排気用換気装置が排気運転を停止している時に前記熱交換換気装置への給気および排気を同時に行う熱交換換気運転から給気のみの運転に切替える運転切替要求がなされた場合に、前記判定手段が前記建物内の空気の圧力状態が正圧になると判定する
ことを特徴とする請求項３または４に記載の換気システム。
【請求項６】
前記端末装置は、前記情報取得手段が前記複数台の換気装置のうちの少なくとも１台の換気装置が排気運転を停止した運転情報を取り込み、前記判定手段が前記排気運転停止により前記建物内の空気の圧力状態が正圧になると判定した場合に、前記表示手段が前記排気運転を停止した換気装置の排気運転の再実行を促すメッセージを表示する
ことを特徴とする請求項２に記載の換気システム。
【請求項７】
前記端末装置はさらに、前記複数台の換気装置への運転切替指令を出力する指令出力手段を有し、
前記端末装置は、前記情報取得手段が前記複数台の換気装置のうちの少なくとも１台の換気装置が排気運転を停止した運転情報を取り込み、前記判定手段が前記排気運転停止により前記建物内の空気の圧力状態が正圧になると判定した場合に、前記指令出力手段が前記排気運転を停止した換気装置に対し排気運転を実行する運転切替指令を出力する
ことを特徴とする請求項１、２、６のいずれか一項に記載の換気システム。
【請求項８】
前記複数台の換気装置のうち、少なくとも１台は給気と排気とを同時にあるいは個別に行ない、前記給気と前記排気の間での熱交換機能を有する熱交換換気装置であり、また少なくとも他の１台は屋内の空気を排気する排気用換気装置であって、
前記端末装置は、前記情報取得手段が、前記熱交換換気装置が給気のみの運転を実施している時に前記排気用換気装置が排気運転を停止した運転情報を取り込んだ場合、あるいは前記排気用換気装置が排気運転を停止している時に前記熱交換換気装置が給気および排気を同時に行う熱交換換気運転から給気のみの運転に切替えた運転情報を取り込んだ場合に、前記判定手段が前記建物内の空気の圧力状態が正圧になると判定する
ことを特徴とする請求項１、６、７のいずれか一項に記載の換気システム。
【請求項９】
前記端末装置はさらに、表示手段を有し、
前記端末装置は、前記情報取得手段が取得した前記複数台の換気装置の運転情報に基づいて、前記判定手段が前記建物内の空気の流れを判定し、前記表示手段が前記空気の流れを模式的に表示する
ことを特徴とする請求項１〜８のいずれか一項に記載の換気システム。
【請求項１０】
前記端末装置はさらに、前記複数台の換気装置への運転切替指令を出力する指令出力手段を有し、
前記端末装置は、前記判定手段が前記建物内の空気の圧力状態が正圧であると判定した場合に、前記指令出力手段が前記複数台の換気装置のうちの少なくとも１台の換気装置に対し排気運転を実行する運転切替指令を出力する
ことを特徴とする請求項１または２に記載の換気システム。
【請求項１１】
前記端末装置は、前記情報取得手段が取得した運転情報である前記複数の換気装置の各々の給気風量および排気風量および設置場所に基づいて、前記判定手段が前記複数の換気装置のうちの少なくとも一台の換気装置を選定し、前記指令出力手段が前記選定された換気装置に対し排気運転を実行する運転切替指令を出力する
ことを特徴とする請求項１０に記載の換気システム。
【発明の詳細な説明】
【技術分野】
【０００１】
本発明は、建物の屋外と屋内との間で換気を行う換気装置を複数台備えた換気システムに関するものである。
【背景技術】
【０００２】
冷房シーズンにおいて、エアコンで冷房された部屋の換気は、冷えた空気を屋外に排出し、温度の高い外気を取り込むため、冷房運転を行なうエアコンの負荷が増加する。また、暖房シーズンにおいては、エアコンで暖房された部屋の換気は、暖まった空気を屋外に排出し、温度の低い外気を取り込むため、暖房運転を行なうエアコンの負荷が増加する。
このような場合に有効な換気装置として、建物の屋外と屋内との間で排気および給気を同時に行い、その際に熱交換器により排気する室内空気と給気する外気との間で熱回収を行う熱交換換気装置が知られている。すなわち、室内空気と外気との間で熱交換を行った上で換気を行うので、冷房シーズンでは外気の温度を下げて取り込み、また暖房シーズンでは外気の温度を上げて取り込むため、換気によるエアコン等の空調機器の負荷増大を防ぐことができる。
【０００３】
しかしながら、春季や秋季等、外気温と建物内室温との温度差がほとんどない中間季においては、冷暖房中の熱損失が少ないため給気と排気との間の熱交換が不要であり、また、夏季の夜間等、外気が涼しい時間帯ではそのまま外気を取り込んでも快適であるため熱交換が不要である。そのような場合に熱交換換気装置の給気用送風機と排気用送風機とを同時に運転させることは余分な電力を消費することになる。
このような問題を解決する換気システムとして、例えば特開２０１３−１９５００８号公報に開示されているものが知られている。
【０００４】
上記の公開特許公報に示される換気システムは、気温や季節条件を含む環境状態または任意に設定された条件に基づいて、熱交換換気装置の排気送風機のモータを停止させ、給気運転のみを実行できる構成としたものである。これにより、熱交換が必要でない時季や時間帯においては、消費電力を抑えることが可能となっていた。
【先行技術文献】
【特許文献】
【０００５】
【特許文献１】特開２０１３−１９５００８号公報
【発明の概要】
【発明が解決しようとする課題】
【０００６】
ところで、特許文献１に開示したような換気システムを備えた建物において、中間季や夏季の夜間等で熱交換換気装置の排気用送風機を停止させた給気のみの運転を行っている場合に、トイレや浴室等の排気を行う換気装置の運転を停止させたとすると、建物全体では排気が停止あるいは排気風量が極端に少なくなり、一方で給気運転が継続されているため、建物内の空気が正圧状態となる。
【０００７】
しかしながら、通常、居住者は建物内における空気の圧力状態を認識することができないため、上記のような正圧状態になっても放置されやすく、その状態が継続すると、建物内の水分を含んだ空気あるいは水分そのものが建物の躯体内すなわち壁の中に侵入していき、やがて壁内結露の発生や躯体の腐食に至ることも懸念され、建物の保全上望ましくない状態となる。
【０００８】
本発明は、上記の問題を解決するためになされたものであり、建物内の空気が正圧状態になることを回避して躯体内での結露の発生を防止するために、建物内の空気の圧力状態を判定することが可能な換気システムを提供することを目的とする。
【課題を解決するための手段】
【０００９】
本発明に係る換気システムは、上述した課題を解決するために、建物に設置され、屋外の空気を屋内に給気もしくは屋内の空気を屋外に排気する複数台の換気装置と、それらの複数台の換気装置の運転情報を取り込む情報取得手段とその運転情報に基づいて建物内の空気の圧力状態を判定する判定手段とを有する端末装置とを備えるものである。
【発明の効果】
【００１０】
本発明によれば、換気システムの端末装置が各換気装置の運転情報に基づいて、建物内の空気の圧力状態を判定することができるため、建物内の空気が正圧状態になることを回避して躯体内への水分の侵入による結露発生を防止するのに有効である。
【図面の簡単な説明】
【００１１】
【図１】この発明の実施の形態１にかかる換気システムの建物内ブロック構成図である。
【図２】この発明の実施の形態１にかかる換気システムの端末装置の構成を示すブロック図である。
【図３−１】冷暖房期における建物内の熱交換換気を示す模式図である。
【図３−２】中間季等における建物内の非熱交換換気を示す模式図である。
【図４−１】この発明の実施の形態１にかかる換気システムのメッセージ表示の一例を示す図である。
【図４−２】この発明の実施の形態１にかかる換気システムのメッセージ表示の他の例を示す図である。
【図４−３】この発明の実施の形態１にかかる換気システムのメッセージ表示のさらに他の例を示す図である。
【図５】この発明の実施の形態２にかかる換気システムの建物内ブロック構成図である。
【図６−１】この発明の実施の形態２にかかる換気システムのメッセージ表示の一例を示す図である。
【図６−２】この発明の実施の形態２にかかる換気システムのメッセージ表示の他の例を示す図である。
【図７】この発明の実施の形態３にかかる換気システムの模式図表示の一例を示す図である。
【図８】この発明の実施の形態４にかかる換気システムの建物内ブロック構成図である。
【発明を実施するための形態】
【００１２】
以下、本発明にかかる換気システムの実施の形態を図面に基づいて詳細に説明する。
【００１３】
実施の形態１．
図１は、この発明の実施の形態１にかかる換気システムの建物内ブロック構成図である。
まず、図１を用いて本発明の換気システム１００の構成を説明する。図１において、熱交換換気装置１が建物のＬＤＫ等の天井部に取り付けられている。熱交換換気装置１の排気ダクト接続口に排気ダクト５の一端が接続され、排気ダクト５の他端がバルコニー等の屋外に設けられた屋外排気口６に接続されている。また、熱交換換気装置１の給気ダクト接続口に給気ダクト７の一端が接続され、給気ダクト７の他端がバルコニー等の屋外に設けられた屋外給気口８に接続されている。さらに、熱交換換気装置１の室内給気ダクト接続口に室内給気ダクト９の一端が接続され、室内給気ダクト９の他端が給気対象であるＬＤＫ等の部屋に設けられた室内給気口１０に接続されている。なお、室内給気口１０は給気の対象となる複数の部屋に対してそれぞれ設置されている。
【００１４】
熱交換換気装置１は、前述したように建物の屋外と屋内との間で排気および給気を同時に行い、その際に熱交換器により排気する室内空気と給気する外気との間で熱回収を行うことが可能な換気装置である。
熱交換換気装置１は外部スイッチあるいはリモコンによって、運転の入／切、運転速度の強／弱すなわち換気量の大／小の切替、排気運転の停止等を操作することができる。
【００１５】
同様に、換気装置２が建物の浴室、トイレ等のダーティーゾーンの天井部に取り付けられている。換気装置２の排気ダクト接続口に排気ダクト１１の一端が接続され、排気ダクト１１の他端がバルコニー等の屋外に設けられた屋外排気口１２に接続されている。また、換気装置２の室内排気ダクト接続口に室内排気ダクト１３の一端が接続され、室内排気ダクト１３の他端が浴室、トイレ、洗面所等にそれぞれ設けられた室内排気口１４に接続されている。
【００１６】
なお、換気装置２は、本実施の形態では屋内の空気を継続的に排気可能であって、熱交換機能を有さない換気装置として説明するが、給気や熱回収の機能を有していても構わない。
換気装置２は壁スイッチ等によって、運転の入／切、運転速度の強／弱すなわち換気量の大／小の切替等を操作することができる。
【００１７】
また、端末装置３が建物のＬＤＫ等に設置され、端末装置３と熱交換換気装置１との間および端末装置３と換気装置２との間がそれぞれ有線あるいは無線による通信４で接続されている。これにより、端末装置３は熱交換換気装置１および換気装置２との間で制御指令や情報等の送受信が可能となる。すなわち、端末装置３は、熱交換換気装置１および換気装置２に対して運転の入／切、運転速度の強／弱切替等の運転切替指令の送信を行い、また、熱交換換気装置１および換気装置２の運転状態の情報を取得することができる。熱交換換気装置１あるいは換気装置２は各々専用のリモコンあるいは外部スイッチ等で個々に操作可能であるが、共通端末としての端末装置３一台で熱交換換気装置１および換気装置２のいずれも操作することが可能に構成されている。このような端末装置としてＨＥＭＳコントローラ等を利用することができるが、スマートフォンやタブレット端末を各換気装置の操作用共通端末として使用することも可能である。
【００１８】
図２は上記端末装置３の構成を示すブロック図である。使用者が操作入力手段３１を操作して入力した運転切替要求は、判定手段３２の受付処理を経て、指令出力手段３３から接続されている複数台の換気装置１５（図１の熱交換換気装置１、換気装置２に相当）に対して運転切替指令として送出される。また、情報取得手段３４によって各換気装置１５の運転状態が運転情報として取り込まれ、判定手段３２に送られる。表示手段３５は、判定手段３２によって表示処理された各換気装置１５の運転情報や、運転切替要求の受付状況等を表示する。
すなわち、使用者はこの端末装置３により、接続された各換気装置１５の運転切替の実行およびそれらの運転状態の確認が可能になる。
【００１９】
ここで、図１に示したような熱交換換気装置１および換気装置２を備えた建物における冷暖房シーズンの換気運転、中間季の換気運転について、図３−１、図３−２を用いて説明する。
図３−１は冷暖房シーズンにおける建物内の熱交換換気を示す模式図である。冷暖房シーズンにおいて、熱交換換気装置１は、熱交換器１７を介して給気運転と排気運転を同時に行い、給気と排気との間で熱交換を行う熱交換換気運転を実施する。これにより、冬季は温度の低い外気を暖めて屋内に給気し、夏季は温度の高い外気を冷やして屋内に給気するので、エアコン等の空調機器１８の負荷の軽減が可能となる。この場合、例えば浴室、トイレ等のダーティーゾーンに設置された換気装置２を停止あるいは弱運転（排気）とすることによって、建物における排気と給気の風量バランスが崩れるのを防ぎ、第一種換気が可能となっている。
【００２０】
図３−２は中間季等における建物内の非熱交換換気を示す模式図である。屋内外の温度差が大きくない中間季（春、秋等）や、外気冷房運転が可能な夏季の夜間においては、熱交換換気装置１は、排気運転を停止し、給気運転のみを行う非熱交換換気運転を実施する。これにより、中間季や夏季夜間等、空調の不要な時季、時間帯においては排気用送風機を停止した省エネルギー運転が可能となる。この場合、例えば浴室、トイレ等のダーティーゾーンに設置された換気装置２を強運転（排気）とすることによって熱交換換気装置１の排気停止分を補完できるので、建物における排気と給気の風量バランスが大きく崩れることがなく、第一種換気が可能となっている。
このように、図１に示したような熱交換換気装置１および換気装置２を備えた建物においては冷暖房シーズンおよび中間季すなわち年間を通して２４時間換気に最適な第一種換気が可能となっている。
【００２１】
次に、本実施の形態にかかる換気システムの動作について説明する。
熱交換換気装置１が給気のみの非熱交換換気運転を実施しているときに、建物の使用者が浴室やトイレの排気運転を停止させようとした場合を考える。使用者は浴室やトイレの排気を行う換気装置２の排気運転を停止させるために、端末装置３の操作入力手段３１により換気装置２の排気運転停止要求の操作を行う。端末装置３の判定手段３２は、情報取得手段３４が取得した熱交換換気装置１からの運転情報により、熱交換換気装置１が給気のみの非熱交換換気運転を実施している状況を認識しているので、この状況で換気装置２の排気運転を停止すると、建物内の排気と給気の風量バランスが崩れて給気量＞排気量となり、建物内の空気が正圧状態になって、それを放置しておけば建物内の水分を含んだ空気あるいは水分そのものが建物の躯体内に侵入して壁内結露に至る恐れがあることを予測することができる。すなわち、判定手段３２は換気装置２の排気運転停止により建物内の空気が正圧状態になると判定する。
【００２２】
そこで端末装置３は、その画面上すなわち表示手段３５に、換気装置２の排気運転を停止しないよう警告表示を行う（図４−１）。これを見た使用者が換気装置２の排気運転の停止を思いとどまることによって、建物内が正圧状態になることを回避し、壁内結露の発生を未然に防ぐことができる。
また、端末装置３の判定手段３２は、操作入力手段３１に対して入力された換気装置２の運転停止要求を受け付けないことを判断してもよい。その判断に基づいて指令出力手段３３は換気装置２への運転停止指令の出力を取り止める処置を行う。なお、このとき画面上に運転停止操作を受け付けないことを表示（図４−２）することにより、停止操作を行ったのに停止しないのは換気装置２が故障したからではないかという使用者の誤解を防ぐことができる。換気装置２の排気運転を停止する要求を受け付けないことにより、換気装置２が排気運転を継続したままとなるので、使用者が何らかの対応を実行しなくても、建物内が正圧状態になることを回避し、壁内結露の発生を未然に防ぐことができる。
また、端末装置３の表示手段３５は換気装置２の排気運転停止を実行したことによって予測される建物内の空気の圧力状態を表示してもよい（図４−３）。これによって、使用者は建物内が壁内結露の恐れのある正圧状態になるとの予測を認識することができる。
【００２３】
なお、上記では、熱交換換気装置１が給気のみの非熱交換換気運転時に端末装置３の操作により換気装置２の排気運転を停止しようとした場合について説明したが、換気装置２が停止状態のときに端末装置３の操作により熱交換換気装置１を給気のみの非熱交換換気運転に切り換えようとした場合でも同様の表示あるいは処置により同じ効果を得ることができる。また、端末装置３に対して操作を行った場合にのみメッセージを表示するのではなく、熱交換換気装置１が給気のみの運転を行なっていてかつ換気装置２が停止している状態であれば常時メッセージ表示を行うようにしてもいい。
【００２４】
なお、熱交換換気装置１が熱交換換気運転を実施しているときは、給気運転および排気運転を同時に行っているため、換気装置２の排気運転が停止あるいは弱風量であっても排気と給気の風量バランスが大きく崩れることはなく、判定手段３２は建物内の空気の圧力状態が適切であると判定する。したがって、熱交換換気装置１が熱交換換気運転時に使用者が浴室やトイレの排気運転を停止させようとした場合には、端末装置３は上記のメッセージ表示や排気運転停止要求の受付拒否という処置を行わなくてよい。
【００２５】
実施の形態１では上記のように構成されており、換気システムの端末装置が各換気装置の運転情報に基づいて、建物内の空気の圧力状態を判定することができるため、建物内が正圧状態になることを回避して躯体内への水分の侵入による結露発生を防止するのに有効である。
また、建物内の空気を正圧状態にすると予測される換気装置への運転切替要求に対し、端末装置に警告メッセージを表示することによって使用者にアドバイスするので、確実に正圧状態を回避することが可能となる。
また、端末装置が建物内の空気を正圧状態にすると予測される換気装置への運転切替要求を受け付けないことにより、使用者の対応に頼ることなく、自動的に建物内の正圧状態を回避することが可能となる。
また、端末装置の表示手段にメッセージを表示することにより、使用者は簡単に建物内の空気の圧力状態を認識することができる。
【００２６】
実施の形態２．
実施の形態１では、各換気装置への運転操作が共通の端末装置から実施された場合の換気システムの動作について説明した。実施の形態２では、各換気装置が共通の端末装置からではなく、その換気装置専用の運転スイッチにより操作された場合の換気システムの動作について説明する。
図５は実施の形態２にかかる換気システム１００の建物内ブロック構成図である。以下、図５により実施の形態２の構成と動作を説明する。
図５において、壁スイッチ２１は換気装置２に接続され、換気装置２の運転の入／切、運転速度の強／弱すなわち換気量の大／小の切替等を操作することができる。すなわち、換気装置２は端末装置３および壁スイッチ２１のいずれからも操作することができる。その他の構成は実施の形態１（図１）と同じなので説明を省略する。
【００２７】
次に動作について説明する。
熱交換換気装置１が給気のみの非熱交換換気運転を実施しているときに、建物の使用者が浴室やトイレの排気運転を壁スイッチ２１の操作により停止させた場合を考える。使用者が壁スイッチ２１の操作を行って換気装置２の排気運転を停止させると、端末装置３の情報取得手段３４は換気装置２との通信４により、換気装置２の排気運転が停止したという運転情報を取得する。また、端末装置３の情報取得手段３４は熱交換換気装置１との通信４により、熱交換換気装置１が給気のみの非熱交換換気運転を実施しているという運転情報も取得している。情報取得手段３４が取得したそれらの運転情報を受けて、端末装置３の判定手段３２は、換気装置２の排気運転停止により建物内の排気と給気の風量バランスが崩れて給気量＞排気量となり、建物内の空気が正圧状態になって、それを放置しておけば建物内の水分を含んだ空気あるいは水分そのものが建物の躯体内に侵入して壁内結露に至る恐れがあることを予測することができる。すなわち、判定手段３２は換気装置２の排気運転停止により建物内の空気が正圧状態になると判定する。
【００２８】
そこで端末装置３は、その画面上すなわち表示手段３５に、換気装置２の排気運転の再開を促すメッセージを表示する（図６−１）。これを見た使用者が換気装置２の排気運転を再開させることによって、建物内が正圧状態になることを回避し、壁内結露の発生を未然に防ぐことができる。なお、この場合、建物内が正圧状態になることを回避できればいいので、換気装置２の排気運転を促すメッセージ表示の代わりに熱交換換気装置１の運転を給気および排気を同時に行う熱交換換気運転に切り替えることを促すメッセージ表示でもよい。
【００２９】
また端末装置３は、排気運転を停止した換気装置２に対し、指令出力手段３３から強制的に排気運転を開始する指令を送るようにしてもよい。すなわち、使用者自身が操作を行わなくても自動的に換気装置２の排気運転が再開されて、建物内が正圧状態になることを回避し、壁内結露の発生を未然に防ぐことができる。その際、端末装置３の画面上に、換気装置２の排気運転を強制的に開始する旨のメッセージを表示する（図６−２）。これにより、使用者は自らが実施した排気運転停止に対し、換気システム１００が強制的に換気装置２の排気運転を再開したことを認識できるので、壁スイッチ２１あるいは換気装置２が故障したという誤解をしないで済む。なお、この場合、建物内が正圧状態になることを回避できればいいので、排気運転を停止している換気装置２に対して強制的に排気運転を開始する指令を送る代わりに、非熱交換換気運転を行なっている熱交換換気装置１に対して強制的に熱交換換気運転に切り替える指令を送ってもよい。
【００３０】
なお、上記では、熱交換換気装置１が給気のみの非熱交換換気運転を行なっている時に、壁スイッチ２１の操作により換気装置２の排気運転を停止した場合について説明したが、換気装置２が停止状態のときに、熱交換換気装置１専用の外部スイッチあるいはリモコンの操作により熱交換換気装置１を給気のみの非熱交換換気運転に切り換えた場合でも同様の表示あるいは処置により同じ効果を得ることができる。また、換気装置２あるいは熱交換換気装置１に対して専用の壁スイッチ等により排気運転停止等の運転切替操作がなされた場合にのみメッセージを表示するのではなく、熱交換換気装置１が給気のみの運転を行なっていてかつ換気装置２が停止している状態であれば常時メッセージ表示を行うようにしてもいい。
【００３１】
なお、熱交換換気装置１が熱交換換気運転を実施しているときは、給気運転および排気運転を同時に行っているため、換気装置２の排気運転を停止あるいは弱風量に切り換えても排気と給気の風量バランスが大きく崩れることはなく、判定手段３２は建物内の空気状態が適切であると判定する。したがって、熱交換換気装置１が熱交換換気運転時に使用者が浴室やトイレの排気運転を停止させた場合には、端末装置３は上記メッセージ表示あるいは強制排気運転開始の指令を行わなくてよい。
【００３２】
実施の形態２では上記のように構成されているため、実施の形態１同様、換気システムの端末装置が各換気装置の運転情報に基づいて、建物内の空気の圧力状態を判定することができるので、建物内が正圧状態になることを回避して躯体内への水分の侵入による結露発生を防止するのに有効である。
また、端末装置にメッセージを表示することにより、使用者に建物内の正圧状態を回避するために有効と考えられる換気装置の運転状態への切替えを促すアドバイスを提示するので、より確実に正圧状態を回避することが可能となる。
また、端末装置が建物内の正圧状態を回避するために有効である換気装置に対し、強制的に運転切替指令を送ることにより、使用者の対応に頼ることなく、自動的に正圧状態を回避することが可能となる。
【００３３】
実施の形態３．
実施の形態３における換気システムでは、端末装置の画面上に建物内の空気の流れを模式的に表示する構成としたものである。
実施の形態３の換気システムの構成は実施の形態１あるいは２と同じなので説明を省略する。
【００３４】
次に動作について説明する。
熱交換換気装置１が給気のみの非熱交換換気運転を実施しているときに、建物の使用者が浴室やトイレの排気運転を端末装置３もしくは壁スイッチ２１の操作により停止させた場合、実施の形態１、２の換気システムでは、端末装置３の画面上に図４−１〜図４−３あるいは図６−１、図６−２のようなメッセージを表示して警告あるいは使用者への操作のアドバイス等を行う。しかし、これらの表示だけで、何故換気装置２の運転を停止してはいけないのか、何故正圧状態になっているのか等を正しく理解することが難しい。そのため、使用者がアドバイスされた操作をためらって実行しないことも考えられる。
【００３５】
実施の形態３に示す換気システム１００では、端末装置３の画面上すなわち表示手段３５に建物内の空気の流れを模式的に表示する（図７）。図７に示した例では、熱交換換気装置１の給気運転による空気の流れのみが表示されているので、給気はされているものの排気がされていないことを一目で理解することができる。加えて「建物内が正圧状態です。」や「トイレの換気扇を止めないでください。」等のメッセージを併せて表示することにより、使用者は建物内の空気の圧力状態や換気装置２等の操作アドバイスの理由をより明確に理解することが可能となる。また、熱交換換気装置１の排気経路や換気装置２部に運転を停止していることがわかる表示（例えば×印等）を施すと、排気運転停止や排気量不足がより明確に理解できる。
これにより、換気装置２に対する停止操作や換気装置２の停止状態等が建物内の正圧化の原因となることをより確実に理解できるので、端末装置３の警告メッセージや操作アドバイスを受け入れやすくなる。
【００３６】
また、使用者がメッセージ表示に従って換気装置２の排気停止要求のキャンセルあるいは排気運転の再開を実行すると、端末装置３の建物内の空気の流れの模式図に換気装置２による排気の流れが加わることによって建物内の排気と給気の風量バランスが保たれていることを示すため、使用者の操作による圧力状態の変化すなわち効果を確認することができる。
【００３７】
実施の形態３では上記のように構成されているため、実施の形態１同様の効果が得られるとともに、端末装置に建物内の空気の流れを模式的に表示するので、使用者が建物内の空気の圧力状態や換気装置の操作等に関するアドバイスを理解しやすいという効果が得られる。その結果として、アドバイスに従った操作が着実になされることにより、建物内の正圧状態の確実な回避が可能となる。
【００３８】
実施の形態４．
実施の形態１〜３における換気システムは、熱交換換気装置、換気装置および端末装置で構成される換気システムを例に説明した。実施の形態４における換気システムは、さらに建物内の他の換気装置を含め、よりきめ細かく建物全体での排気と給気の風量バランスを保つことができるように構成されたものである。
図８は実施の形態４にかかる換気システム１００の住宅内ブロック構成図である。以下、図８により実施の形態４の構成と動作を説明する。
【００３９】
図８において、建物の一階部分には、ＬＤＫ等の天井部に熱交換換気装置１ａが、トイレや浴室のダーティーゾーン天井部に換気装置２が、ＬＤＫのキッチン部にレンジフードファン２２が設置されている。熱交換換気装置１ａは排気ダクト５ａおよび給気ダクト７ａを介して屋外に排気口および給気口を有している。さらに、室内給気ダクト９ａを介して、ＬＤＫ等に複数の室内給気口を有している。換気装置２は、室内排気ダクト１３を介して、浴室、トイレ、洗面所等にそれぞれ室内排気口を有し、さらに、排気ダクト１１を介して屋外に排気口を有している。レンジフードファン２２は屋外に面した排気口を有している。
熱交換換気装置１ａ、換気装置２、レンジフードファン２２は外部スイッチあるいはリモコンによって、運転の入／切、運転速度の強／弱すなわち換気量の大／小の切替、排気運転の停止等を操作できる。
【００４０】
また、建物の二階部分には、廊下等の天井部に熱交換換気装置１ｂが、トイレに換気扇２３が設置されている。熱交換換気装置１ｂは排気ダクト５ｂおよび給気ダクト７ｂを介して屋外に排気口および給気口を有している。さらに、室内給気ダクト９ｂを介して、個室等に複数の室内給気口を有している。換気扇２３は屋外に面した排気口を有している。
熱交換換気装置１ｂ、換気扇２３は外部スイッチあるいはリモコンによって、運転の入／切、運転速度の強／弱すなわち換気量の大／小の切替、排気運転の停止等を操作できる。
【００４１】
また、建物の一階部分に端末装置３が設置されており、端末装置３と、一階の熱交換換気装置１ａ、換気装置２、レンジフードファン２２、二階の熱交換換気装置１ｂ、換気扇２３とは信号線２４で接続されている。なお、端末装置３と各換気装置との通信は信号線２４によらずに無線通信で構成してもよい。
これらの熱交換換気装置１ａ、換気装置２、レンジフードファン２２、熱交換換気装置１ｂ、換気扇２３はそれぞれ専用のリモコンあるいは外部スイッチ等で操作できるが、共通端末としての端末装置３一台でも操作可能である。
【００４２】
端末装置３は、実施の形態１〜３で示した端末装置同様、情報取得手段３４が建物内の各換気装置の運転情報を収集し、判定手段３２がその運転情報に基づいて建物内における給気量と排気量とを推測、比較することによって建物内の空気の圧力状態を判定する。
また、端末装置３は、いずれかの換気装置の排気運転を停止することによって建物内が正圧状態になると予想される場合、その換気装置の排気運転を停止しないよう表示手段３５に警告表示を行う。これを見た建物の使用者が換気装置の排気運転の停止を思いとどまることによって、建物内が正圧状態になることを回避し、壁内結露の発生を未然に防ぐことができる。
あるいは、端末装置３は、その換気装置への排気運転の停止要求を受け付けない。あるいは、端末装置３は、その換気装置への排気運転の再開を促すメッセージを表示してもよい。あるいは、端末装置３は、換気装置への排気運転の強制開始等を行ってもよい。それらによって、建物内の正圧状態を回避し、壁内結露の発生を未然に防ぐことができる。
【００４３】
また、本実施の形態では、端末装置３が建物内の全換気装置の運転情報を取得可能なので、建物全体での給気量、排気量を細かく集計することが可能である。したがってそれらの情報に基づく建物内の空気の圧力状態をより精度よく判定することができる。すなわち、建物内の正圧状態を回避し、壁内結露の発生を未然に防ぐのにより有効である。
また、建物内の正圧状態を回避するのに、どの換気装置の排気運転を実行するのが最も効率的であるかを判定することも可能である。すなわち、給気量と排気量のバランスをとるのに必要な風量を満足する換気装置のうち最小風量で運転する換気装置を選定し、その換気装置の運転を促すメッセージを表示したり、その換気装置を強制的に運転させる運転切替指令を出力したりすることができる。これによって、必要最小限の風量により確実に給気量と排気量のバランスを取ることができるので省エネルギーの効果も得られる。なお、必要によっては複数台の換気装置を選定し、その組み合わせで対応することも可能である。
【００４４】
さらには建物内の各エリアすなわち換気装置の設置場所における給気量と排気量の状態を把握した上で総合的に判定することができるので、建物内の全換気装置の中から正圧状態を回避するのに最も適した場所の換気装置を選定することができる。すなわち、その最適な換気装置の運転を促すメッセージを表示したり、あるいはその最適な換気装置に対して運転切替指令を出力することによって、より効率的に建物内の正圧状態を回避することが可能となる。例えば、建物の１階と２階とで、１階でのみ排気と給気の風量バランスが崩れて給気量＞排気量となっていて、２階では風量バランスがとれているのであれば、排気運転を促す換気装置あるいは運転切替指令を出力する換気装置を１階に設置された換気装置の中から選定する。これによって無駄な空気の流れを生じさせることなく給気量と排気量のバランスを取ることができるので、建物内での快適性や省エネルギー効果に対しより有効である。
【００４５】
なお、上記では端末装置３により建物内の全換気装置の情報取得や運転切替を実施するとして説明したが、さらに、端末装置３と無線もしくは有線により通信２５を行う第二の端末装置２６を備え、第二の端末装置２６でも各換気装置の情報取得や運転切替を実施できる構成としてもよい。端末装置３を１階に設置し、第二の端末装置２６を２階に設置すればそれぞれの階で建物全体の空気の圧力状態を監視することができるので、正圧状態を回避するのにより有効である。
【００４６】
実施の形態４では上記のように構成されているため、実施の形態１同様、換気システムの端末装置が各換気装置の運転情報に基づいて、建物内の空気の圧力状態を判定することができるので、建物内が正圧状態になることを回避して躯体内への水分の侵入による結露発生を防止するのに有効である。
また、建物全体での給気量、排気量を細かく集計することが可能なので建物内の空気の圧力状態をより精度よく判定することができる。
さらに、建物内の正圧状態を回避するために最も適した風量の換気装置を選定することができるので、省エネルギー効果が得られる。また、複数の換気装置の組合せが可能なのでより確実な正圧状態の回避が可能である。
また、建物内の正圧状態を回避するために最も適した設置場所の換気装置を選定することができるので、無駄な空気の流れを生じさせることがなく、快適性と省エネルギー効果に対し有効である。
【符号の説明】
【００４７】
１  熱交換換気装置
２  換気装置
３  端末装置
３１  操作入力手段
３２  判定手段
３３  指令出力手段
３４  情報取得手段
３５  表示手段
１００  換気システム
【図１】
2017156030.tif 000003
【図２】
2017156030.tif 000004
【図３−１】
2017156030.tif 000005
【図３−２】
2017156030.tif 000006
【図４−１】
2017156030.tif 000007
【図４−２】
2017156030.tif 000008
【図４−３】
2017156030.tif 000009
【図５】
2017156030.tif 000010
【図６−１】
2017156030.tif 000011
【図６−２】
2017156030.tif 000012
【図７】
2017156030.tif 000013
【図８】
2017156030.tif 000014